(57)【要約】【課題】排気ガス浄化能力を維持できる内燃機関の排気浄化装置を提供すること。【解決手段】尿素水供給ＥＣＵは、酸化触媒が活性温度Ｔｄ以上であり（ステップＳ４でＹＥＳ）、かつ選択還元型触媒の上流側における排気ガス温度が活性温度Ｔｄよりも高い所定温度未満である場合（ステップＳ１でＹＥＳ）、第１インジェクタ２１から、酸化触媒５における尿素水の酸化率に基づいて決定した噴射量で（ステップＳ６）、尿素水を噴射する。尿素水供給ＥＣＵは、酸化率が大きいほど第１インジェクタからの尿素水の噴射量が大きくなるように噴射量を決定する。尿素水供給ＥＣＵは、内燃機関２側のＮＯｘ排出量よりも、酸化触媒５と選択還元型触媒６との間におけるＮＯｘ排出量が高い場合、第１インジェクタからの尿素水の噴射を停止する。【選択図】図２
2019007458.tif 000002
【特許請求の範囲】
【請求項１】
内燃機関の排気通路に上流側から酸化触媒と選択還元型触媒とを備えた内燃機関の排気浄化装置であって、
前記酸化触媒の上流側に配置され、窒素酸化物を還元する還元剤を噴射する第１インジェクタと、
前記酸化触媒の下流側に配置され、前記選択還元型触媒の上流側に前記還元剤を噴射する第２インジェクタと、
前記第１インジェクタの噴射量および前記第２インジェクタの噴射量を決定する制御部と、を備え、
前記制御部は、
前記酸化触媒が活性温度以上であり、かつ前記選択還元型触媒の上流側における排気ガス温度が前記活性温度よりも高い所定温度未満である場合、
前記第１インジェクタから、前記酸化触媒における前記還元剤の酸化率に基づいて決定した噴射量で、前記還元剤を噴射することを特徴とする内燃機関の排気浄化装置。
【請求項２】
前記制御部は、
前記酸化率が大きいほど前記第１インジェクタからの前記還元剤の噴射量が大きくなるように前記噴射量を決定することを特徴とする請求項１に記載の内燃機関の排気浄化装置。
【請求項３】
前記制御部は、
前記酸化触媒の上流における第１の窒素酸化物濃度よりも、前記酸化触媒と前記選択還元型触媒との間における第２の窒素酸化物濃度が高い場合、前記第１インジェクタからの前記還元剤の噴射を停止することを特徴とする請求項１または請求項２に記載の内燃機関の排気浄化装置。
【請求項４】
前記還元剤は、アンモニアまたは該アンモニアに加水分解可能な化合物であることを特徴とする請求項１から請求項３の何れか１項に記載の内燃機関の排気浄化装置。
【発明の詳細な説明】
【技術分野】
【０００１】
本発明は、内燃機関の排気浄化装置に関する。
【背景技術】
【０００２】
特許文献１には、酸化触媒付きディーゼルパティキュレートフィルタの前段および脱硝触媒層の前段にそれぞれ窒素酸化物の還元剤を注入する手段を設け、排ガス温度に基づいて還元剤の注入位置を切り替えるディーゼル排ガス処理方法が記載されている。
【０００３】
また、特許文献１に記載のディーゼル排ガス処理方法は、排ガス温度が所定温度未満の場合に酸化触媒付きディーゼルパティキュレートフィルタの前流に還元剤を注入し、排ガス温度が所定温度以上の場合に脱硝触媒層の前流に還元剤を注入するようにしている。
【０００４】
特許文献１に記載のディーゼル排ガス処理方法によれば、排ガス温度に基づいて還元剤の注入位置を切り替えることにより、低温域から高温域に至るまで、ディーゼル排ガス中の窒素酸化物を効率よく分解除去することができる。
【先行技術文献】
【特許文献】
【０００５】
【特許文献１】特開２００４−２７０５２０号公報
【発明の概要】
【発明が解決しようとする課題】
【０００６】
しかしながら、特許文献１に記載のディーゼル排ガス処理方法にあっては、酸化触媒付きディーゼルパティキュレートフィルタの前流に還元剤を注入する場合、還元剤の一部が酸化触媒において酸化されてしまい、還元剤が減少してしまうという問題があった。このため、特許文献１に記載のディーゼル排ガス処理方法にあっては、排気ガス浄化能力を維持できなくなるおそれがあった。
【０００７】
本発明は、上記のような問題点に着目してなされたものであり、排気ガス浄化能力を維持できる内燃機関の排気浄化装置を提供することを目的とするものである。
【課題を解決するための手段】
【０００８】
本発明は、内燃機関の排気通路に上流側から酸化触媒と選択還元型触媒とを備えた内燃機関の排気浄化装置であって、前記酸化触媒の上流側に配置され、窒素酸化物を還元する還元剤を噴射する第１インジェクタと、前記酸化触媒の下流側に配置され、前記選択還元型触媒の上流側に前記還元剤を噴射する第２インジェクタと、前記第１インジェクタの噴射量および前記第２インジェクタの噴射量を決定する制御部と、を備え、前記制御部は、前記酸化触媒が活性温度以上であり、かつ前記選択還元型触媒の上流側における排気ガス温度が前記活性温度よりも高い所定温度未満である場合、前記第１インジェクタから、前記酸化触媒における前記還元剤の酸化率に基づいて決定した噴射量で、前記還元剤を噴射することを特徴とする。
【発明の効果】
【０００９】
このように上記の本発明によれば、排気ガス浄化能力を維持できる。
【図面の簡単な説明】
【００１０】
【図１】図１は、本発明の一実施例に係る内燃機関の排気浄化装置を備える車両の構成図である。
【図２】図２は、本発明の一実施例に係る内燃機関の排気浄化装置による尿素水噴射制御動作を説明するフローチャートである。
【図３】図３は、本発明の一実施例に係る内燃機関の排気浄化装置による尿素水噴射制御動作を説明するタイミングチャートである。
【発明を実施するための形態】
【００１１】
本発明の一実施の形態に係る内燃機関の排気浄化装置は、内燃機関の排気通路に上流側から酸化触媒と選択還元型触媒とを備えた内燃機関の排気浄化装置であって、酸化触媒の上流側に配置され、窒素酸化物を還元する還元剤を噴射する第１インジェクタと、酸化触媒の下流側に配置され、選択還元型触媒の上流側に還元剤を噴射する第２インジェクタと、第１インジェクタの噴射量および第２インジェクタの噴射量を決定する制御部と、を備え、制御部は、酸化触媒が活性温度以上であり、かつ選択還元型触媒の上流側における排気ガス温度が活性温度よりも高い所定温度未満である場合、第１インジェクタから、酸化触媒における還元剤の酸化率に基づいて決定した噴射量で、還元剤を噴射することを特徴とする。これにより、本発明の一実施の形態に係る内燃機関の排気浄化装置は、排気ガス浄化能力を維持できる。
【実施例】
【００１２】
以下、図面を参照して、本発明の一実施例について説明する。
図１において、本発明の一実施例に係る内燃機関の排気浄化装置を搭載した車両９は、内燃機関２と、エンジンＥＣＵ（Electronic Control Unit）１０と、排気浄化装置１とを含んで構成されている。
【００１３】
内燃機関２は、ピストンが気筒を２往復する間に吸気行程、圧縮行程、膨張行程及び排気行程からなる一連の４行程を行う４サイクルのディーゼルエンジンによって構成されている。なお、内燃機関２は希薄燃焼を行うガソリンエンジンであってもよい。
【００１４】
内燃機関２は、吸気通路１２を形成する吸気管１１と、排気通路４を形成する排気管３とを備えている。吸気通路１２は、内燃機関２に吸気される空気が通過する。排気通路４は、内燃機関２から排出された排気ガスが通過する。
【００１５】
内燃機関２は排気通路４にターボ過給機１３を備えており、ターボ過給機１３は排気通路４を通過する排気ガスによって、吸気通路１２の空気を圧縮する。
【００１６】
エンジンＥＣＵ１０は、ＣＰＵ（Central Processing Unit）と、ＲＡＭ（Random Access Memory）と、ＲＯＭ（Read Only Memory）と、フラッシュメモリと、入力ポートと、出力ポートとを備えたコンピュータユニットによって構成されており、制御対象を電気的に制御する。エンジンＥＣＵ１０のＲＯＭには、各種制御定数や各種マップ等とともに、当該コンピュータユニットをエンジンＥＣＵ１０として機能させるためのプログラムが記憶されている。このように、エンジンＥＣＵ１０において、ＣＰＵがＲＯＭに記憶されたプログラムを実行することにより、当該コンピュータユニットは、エンジンＥＣＵ１０として機能する。
【００１７】
排気浄化装置１は、酸化触媒５および選択還元型触媒６を備えており、酸化触媒５および選択還元型触媒６は、排気通路４におけるターボ過給機１３の下流側に配置されている。酸化触媒５は選択還元型触媒６の上流側に配置されている。
【００１８】
酸化触媒５は、酸化能を有しており、排気ガス中の炭化水素および一酸化炭素を効率よく酸化することで、排気ガスを浄化するようになっている。酸化触媒５において、炭化水素は水蒸気と二酸化炭素に酸化され、一酸化炭素は二酸化炭素に酸化される。本実施例では、酸化触媒５としてＤＯＣ（Diesel Oxidation Catalyst）を採用している。
【００１９】
選択還元型触媒６は、排気ガス中の窒素酸化物（以下、ＮＯｘともいう）を還元するＳＣＲ（Selective Catalytic Reduction）である。本実施例では、選択還元型触媒６として、粒子状物質を捕集するＤＰＦ（Diesel Particulate Filter）がＳＣＲに一体化されたＳＤＰＦを採用している。
【００２０】
また、排気浄化装置１は、酸化触媒５の上流側に配置された第１インジェクタ２１と、酸化触媒５の下流側に配置された第２インジェクタ２２と、第１インジェクタ２１の噴射量および第２インジェクタ２２の噴射量を決定する制御部としての尿素水供給ＥＣＵ２０と、を備えている。
【００２１】
第１インジェクタ２１は、選択還元型触媒６の上流側に、窒素酸化物を還元する還元剤としての尿素水を噴射するようになっている。第２インジェクタ２２は、酸化触媒５の下流側すなわち選択還元型触媒６の上流側に、窒素酸化物を還元する還元剤としての尿素水を噴射するようになっている。尿素水は、アンモニアに加水分解可能な化合物（アンモニア前駆体）である。
【００２２】
また、排気浄化装置１は、選択還元型触媒６の上流側に配置された上流側ＮＯｘセンサ７と、選択還元型触媒６の下流側に配置された下流側ＮＯｘセンサ８とを備えている。
【００２３】
上流側ＮＯｘセンサ７および下流側ＮＯｘセンサ８は窒素酸化物の排出量（以下、ＮＯｘ排出量ともいう）を検出し、検出信号をエンジンＥＣＵ１０を介して尿素水供給ＥＣＵ２０に送信する。
【００２４】
上流側ＮＯｘセンサ７が検出するＮＯｘ排出量は、本発明における第１の窒素酸化物濃度を構成している。なお、第１の窒素酸化物濃度は、上流側ＮＯｘセンサ７によって検出される値に限定されず、内燃機関２の運転状態等に基づいて尿素水供給ＥＣＵ２０において推測するようにしてもよい。
【００２５】
また、排気浄化装置１は、酸化触媒５と選択還元型触媒６との間におけるＮＯｘ排出量を第２の窒素酸化物濃度として検出する図示しないＮＯｘセンサを備えている。なお、第２の窒素酸化物濃度は、ＮＯｘセンサによって検出される値に限定されず、内燃機関２の運転状態等に基づいて尿素水供給ＥＣＵ２０において推測するようにしてもよい。
【００２６】
また、排気浄化装置１は、第１インジェクタ２１の周囲の排気ガス温度Ｔ１を検出する図示しない温度センサと、第２インジェクタ２２の周囲の排気ガス温度Ｔ２を検出する図示しない温度センサとを備えており、検出された排気ガス温度Ｔ１、Ｔ２は、尿素水供給ＥＣＵ２０に送信される。なお、排気ガス温度Ｔ１、Ｔ２は、温度センサにより検出されることに限定されず、内燃機関２の運転状態等に基づいて尿素水供給ＥＣＵ２０において推測されるようにしてもよい。
【００２７】
尿素水供給ＥＣＵ２０は、ＣＰＵ（Central Processing Unit）と、ＲＡＭ（Random Access Memory）と、ＲＯＭ（Read Only Memory）と、フラッシュメモリと、入力ポートと、出力ポートとを備えたコンピュータユニットによって構成されており、制御対象を電気的に制御する。すなわち、尿素水供給ＥＣＵ２０は、ＥＣＵ（Electronic Control Unit）から構成されている。尿素水供給ＥＣＵ２０のＲＯＭには、各種制御定数や各種マップ等とともに、当該コンピュータユニットを尿素水供給ＥＣＵ２０として機能させるためのプログラムが記憶されている。このように、尿素水供給ＥＣＵ２０において、ＣＰＵがＲＯＭに記憶されたプログラムを実行することにより、当該コンピュータユニットは、尿素水供給ＥＣＵ２０として機能する。
【００２８】
次に、図２に示すフローチャートを参照して、本実施例に係る尿素水供給ＥＣＵ２０によって実行される尿素水噴射制御動作の流れについて説明する。
【００２９】
図２において、尿素水供給ＥＣＵ２０は、排気ガス温度Ｔ２が、第２インジェクタ２２の尿素水噴射可能温度Ｔｓ２以上であるか否かを判別する（ステップＳ１）。尿素水噴射可能温度Ｔｓ２は、酸化触媒５の活性温度Ｔｄよりも高い所定温度である。活性温度Ｔｄは例えば１８０℃である。尿素水噴射可能温度Ｔｓ２は、第２インジェクタ２２から噴射された尿素水がアンモニアに変化可能な温度であり、例えば２００℃である。
【００３０】
ステップＳ１で排気ガス温度Ｔ２が尿素水噴射可能温度Ｔｓ２未満の場合、尿素水供給ＥＣＵ２０は、排気ガス温度Ｔ１が、第１インジェクタ２１の尿素水噴射可能温度Ｔｓ１以上であるか否かを判別する（ステップＳ２）。
【００３１】
尿素水噴射可能温度Ｔｓ１は、第１インジェクタ２１から噴射された尿素水がアンモニアに変化可能な温度であり、例えば２００℃である。尿素水噴射可能温度Ｔｓ１と尿素水噴射可能温度Ｔｓ２とは同じ温度である。排気ガス温度Ｔ１が尿素水噴射可能温度Ｔｓ１未満の場合、尿素水供給ＥＣＵ２０は今回の動作を終了する。
【００３２】
ステップＳ２で排気ガス温度Ｔ１が尿素水噴射可能温度Ｔｓ１以上の場合、尿素水供給ＥＣＵ２０は、第１インジェクタ２１からの尿素水の噴射を開始する（ステップＳ３）。このステップＳ３において、尿素水供給ＥＣＵ２０は、尿素水の噴射量を、内燃機関２の運転領域より定まるＮＯｘ排出量から決定されるベース尿素水噴射量とする。また、このステップＳ３では、尿素水供給ＥＣＵ２０は、第２インジェクタ２２を非噴射に維持する。
【００３３】
次いで、尿素水供給ＥＣＵ２０は、排気ガス温度Ｔ２が酸化触媒５の活性温度Ｔｄ（図中、ＤＯＣ活性温度と記す）に到達したか否かを判別する（ステップＳ４）。ここで、排気ガス温度Ｔ２が酸化触媒５の活性温度Ｔｄに到達していることは、酸化触媒５の活性温度Ｔｄに到達していることを表わしている。このステップＳ４で排気ガス温度Ｔ２が活性温度Ｔｄに到達していない場合、尿素水供給ＥＣＵ２０は今回の動作を終了する。
【００３４】
ステップＳ４で排気ガス温度が活性温度に到達している場合、尿素水供給ＥＣＵ２０は、上流側ＮＯｘセンサ７により検出されたＮＯｘ排出量が内燃機関２から排出されるＮＯｘ排出量よりも大きいか否かを判別する（ステップＳ５）。
【００３５】
ここで、活性状態の酸化触媒５においては、次の反応式１、２で示すように、アンモニアの酸化反応が起きる。
【００３６】
４ＮＨ３＋３Ｏ２→２Ｎ２＋６Ｈ２Ｏ・・・反応式１
【００３７】
４ＮＨ３＋５Ｏ２→４ＮＯ＋６Ｈ２Ｏ・・・反応式２
【００３８】
反応式１によれば、尿素水から熱分解と加水分解により生成されたアンモニア（ＮＨ３）が空気（Ｏ２）により酸化されることで、窒素（Ｎ２）と水（Ｈ２Ｏ）が生成される。すなわち、尿素水から生成されたアンモニアの一部が消滅する。
【００３９】
一方、反応式２によれば、尿素水から熱分解と加水分解により生成されたアンモニア（ＮＨ３）が空気（Ｏ２）により酸化されることで、一酸化窒素（ＮＯ）と水（Ｈ２Ｏ）が生成される。すなわち、尿素水から生成されたアンモニアの一部が消滅し、かつ、窒素酸化物である一酸化窒素が生成される。また、これらの反応式１、２には温度依存性があり、温度が相対的に低い場合は反応式１が主反応となり、温度が相対的に高い場合は反応式が主反応となる。
【００４０】
このため、酸化触媒５が活性温度以上であるが相対的に低い温度の場合、反応式１が主反応となり、酸化触媒５において窒素酸化物が増加しないので、上流側ＮＯｘセンサ７により検出されたＮＯｘ排出量が内燃機関２から排出されるＮＯｘ排出量以下となる。
【００４１】
一方、酸化触媒５の温度が相対的に高くなり、反応式２が主反応になった場合、酸化触媒５において窒素酸化物が生成されるので、上流側ＮＯｘセンサ７により検出されたＮＯｘ排出量が内燃機関２から排出されるＮＯｘ排出量より大きくなる。
【００４２】
そのため、ステップＳ５で上流側ＮＯｘセンサ７により検出されたＮＯｘ排出量が内燃機関２から排出されるＮＯｘ排出量以下の場合（ステップＳ５でＮＯ）、尿素水供給ＥＣＵ２０は、主反応となる反応式１により消滅するアンモニアを補うため、第１インジェクタ２１から噴射する尿素水の噴射量を増量補正し（ステップＳ６）、今回の動作を終了する。
【００４３】
ステップＳ６において、尿素水供給ＥＣＵ２０は、まず、排気ガス温度に基づいて酸化触媒５におけるアンモニアの酸化率を決定する。この酸化率は、アンモニアが酸化により窒素と水に分解されて消滅する割合である。
また、尿素水供給ＥＣＵ２０は、この酸化率に基づいて尿素水の増量補正量を決定する。
したがって、増量補正後の尿素水の噴射量は、ベース尿素水噴射量に、酸化率に基づく補正量を加えた噴射量となる。
【００４４】
このように、酸化触媒５が活性温度以上であるが相対的に低い温度であり、反応式１が主反応である場合、酸化により消滅するアンモニアの量を相殺するように尿素水が増量補正される。このため、排気ガス浄化能力を維持できる。
【００４５】
一方、ステップＳ５で上流側ＮＯｘセンサ７により検出されたＮＯｘ排出量が内燃機関２から排出されるＮＯｘ排出量より大きい場合（ステップＳ５でＹＥＳ）、主反応となる反応式２によって窒素酸化物が生成されることを防止するため、尿素水供給ＥＣＵ２０は、第１インジェクタ２１からの尿素水の噴射を停止し（ステップＳ７）、今回の動作を終了する。
【００４６】
このように、酸化触媒５が活性温度以上かつ相対的に高い温度であり、反応式２が主反応である場合、第１インジェクタ２１からの尿素水の噴射が停止されることで、酸化触媒５において窒素酸化物が発生することが防止される。このため、排気ガス浄化能力を維持できる。
【００４７】
また、ステップＳ１で、排気ガス温度Ｔ２が尿素水噴射可能温度Ｔｓ２以上の場合、尿素水供給ＥＣＵ２０は、第２インジェクタ２２からの尿素水の噴射を開始し（ステップＳ８）、今回の動作を終了する。
【００４８】
次に、図３に示すタイミングチャートを参照して、尿素水噴射制御動作の実行時の尿素水の噴射位置および噴射量の推移について説明する。
【００４９】
図３において、縦軸は、上から順に、第２インジェクタ２２からの尿素水の噴射状態と、第１インジェクタ２１からの尿素水の噴射状態と、上流側ＮＯｘセンサ７により検出されるＮＯｘ排出量と内燃機関２（図中、Ｅ／Ｇ）側のＮＯｘ排出量との比較判定値フラグと、酸化触媒５の上流側の排気ガス温度Ｔ１と、酸化触媒５の下流側の排気ガス温度Ｔ２とを表し、横軸は時間を表わしている。
【００５０】
なお、第１インジェクタ２１および第２インジェクタ２２の噴射状態の噴射と非噴射をＯＮとＯＦＦで表わしている。また、比較判定値フラグは、上流側ＮＯｘセンサ７により検出されるＮＯｘ排出量が内燃機関２側のＮＯｘ排出量より大きいときに１に設定される。
【００５１】
初期状態の時刻ｔ０において、内燃機関２が始動され、排気ガス温度Ｔ１、Ｔ２が上昇し始める。この時刻ｔ０では、第１インジェクタ２１および第２インジェクタ２２は非噴射（噴射量がゼロ）にされている。
【００５２】
その後、時刻ｔ１で排気ガス温度Ｔ１が尿素水噴射可能温度Ｔｓ１に到達したため、第１インジェクタ２１から尿素水の噴射が開始され、第２インジェクタ２２は非噴射に維持される。
【００５３】
これにより、第１インジェクタ２１から噴射された尿素水は熱分解と加水分解とによってアンモニアに変化し、このアンモニアが選択還元型触媒６に吸蔵される。このため、選択還元型触媒６においてＮＯｘが還元される。
【００５４】
その後、時刻ｔ２で排気ガス温度Ｔ２が酸化触媒５の活性温度Ｔｄに到達し、酸化触媒５が活性状態になる。この状態では、反応式１が主反応であり、酸化触媒５においてアンモニアが酸化により消滅する。このため、酸化触媒５におけるアンモニアの酸化率に基づいて決定した噴射量で、第１インジェクタ２１から尿素水が噴射される。また、アンモニアの酸化率が大きいほど尿素水の噴射量が大きくなるように、第１インジェクタからの噴射量が増量補正される。したがって、増量されたアンモニアの量と、消滅するアンモニアの量が釣り合い、前者が後者を相殺する。
【００５５】
その後、時刻ｔ３で比較判定値フラグが０から１に変化し、反応式２が主反応になったため、アンモニアの酸化により窒素酸化物が生成されることを防止するため、第１インジェクタ２１からの尿素水の噴射が停止される。
【００５６】
その後、時刻ｔ４で比較判定値フラグが０に復帰したため、第２インジェクタ２２から尿素水の噴射が開始される。また、第１インジェクタ２１は非噴射に維持される。なお、時刻ｔ３で第１インジェクタ２１からの尿素水の噴射が停止されると、速やかに比較判定値フラグが０に復帰するため、第１インジェクタ２１および第２インジェクタ２２の両方が非噴射となる期間（時刻ｔ３から時刻ｔ４までの期間）は極めて短い期間となる。
【００５７】
以上のように、本実施例の排気浄化装置１において、尿素水供給ＥＣＵ２０は、酸化触媒５が活性温度Ｔｄ以上であり、かつ選択還元型触媒６の上流側における排気ガス温度Ｔ２が活性温度Ｔｄよりも高い所定温度未満である場合、第１インジェクタ２１から、酸化触媒５におけるアンモニアの酸化率に基づいて決定した噴射量で、尿素水を噴射する。
【００５８】
これにより、第２インジェクタ２２から尿素水を噴射可能な温度まで選択還元型触媒６が昇温していない状態であっても、選択還元型触媒６より高温の酸化触媒５において尿素水をアンモニアに分解でき、このアンモニアによって選択還元型触媒６において排気ガス中のＮＯｘを浄化することができる。
【００５９】
これに加え、酸化触媒５において酸化により減少するアンモニアの量を勘案して、第１インジェクタ２１からの尿素水の噴射量を決定しているので、酸化によるアンモニアの減少量を補うことができ、排気ガス浄化能力を維持できる。
【００６０】
また、本実施例では、尿素水供給ＥＣＵ２０は、アンモニアの酸化率が大きいほど第１インジェクタ２１からの尿素水の噴射量が大きくなるように噴射量を決定する。
【００６１】
これにより、アンモニアの酸化率が大きくなると、アンモニアの減少分を相殺するように尿素水の噴射量が大きくされるので、排気ガス浄化能力を維持することができる。
【００６２】
また、本実施例では、尿素水供給ＥＣＵ２０は、酸化触媒５の上流における第１の窒素酸化物濃度としてのＮＯｘ排出量よりも、酸化触媒５と選択還元型触媒６との間における第２の窒素酸化物濃度としてのＮＯｘ排出量が高い場合、第１インジェクタ２１からの尿素水の噴射を停止する。
【００６３】
これにより、第１インジェクタ２１から噴射された尿素水から窒素酸化物が生成される状況では尿素水の噴射が停止されるので、排気ガス浄化能力を維持できる。
【００６４】
また、本実施例では、アンモニア、または該アンモニアに加水分解可能な化合物である尿素水を還元剤として用いている。
【００６５】
これにより、アンモニアと窒素酸化物とを反応させて窒素と水が生成されるので、排気ガス浄化性能を高めることができる。
【００６６】
本発明の実施例を開示したが、当業者によっては本発明の範囲を逸脱することなく変更が加えられうることは明白である。すべてのこのような修正および等価物が次の請求項に含まれることが意図されている。
【符号の説明】
【００６７】
１ 排気浄化装置
２ 内燃機関
４ 排気通路
５ 酸化触媒
６ 選択還元型触媒
２０ 尿素水供給ＥＣＵ（制御部）
２１ 第１インジェクタ
２２ 第２インジェクタ
【図１】
2019007458.tif 000003
【図２】
2019007458.tif 000004
【図３】
2019007458.tif 000005